(57)【要約】【課題】光ディスク装置において、光ピックアップに搭載される対物レンズ駆動機構の温度が過度に上昇し、記録品質が低下する。【解決手段】ディスク回転機構，光ピックアップ，送り機構を搭載してなるメカシャシーと、ディスクと光ピックアップの間に位置し、前記メカシャシー上に固定される板状部材である化粧板と、ディスクの格納および取出しを行うディスクトレイと、駆動制御用の回路基板と、上記構成部品を搭載してなる装置筐体とからなる光ディスク装置であって前記メカシャシーのディスク記録面外周領域と対峙する箇所に、凹形状に窪んだ段差部を設けると共に、前記ディスクトレイの前記メカシャシーを搭載するために設けられる開口部の近傍で、かつ、ディスク記録面外周領域と対峙する箇所に、前記段差部までなだらかに繋がる傾斜部を設ける。【選択図】 図１１
2011054217.tif 000002
【特許請求の範囲】
【請求項１】
レーザ発光部からのレーザ光をディスク記録面に集光させる対物レンズと、この対物レンズを駆動させる駆動機構を備えた光ピックアップと、この光ピックアップを前記ディスクの半径方向に移動させる送り機構と、前記送り機構を搭載したメカシャシーと、前記ディスクと前記光ピックアップとの間に位置し、前記メカシャシー上に固定される板状部材の化粧板と、前記ディスクの格納および取出しを行うディスクトレイと、これらの構成部品を搭載した装置筐体とからなる光ディスク装置において、
前記メカシャシーのディスク記録面外周領域と対峙する箇所に、凹形状に窪んだ段差部を設け、前記ディスクトレイの前記メカシャシーを搭載するために設けられた開口部の近傍で、かつ前記ディスク記録面外周領域と対峙する箇所に前記段差部まで繋がる傾斜部を設けたことを特徴とする光ディスク装置。
【請求項２】
請求項１記載の光ディスク装置において、
前記段差部は、長さがディスクの回転方向に沿って徐々に短くなっていることを特徴とする光ディスク装置。
【請求項３】
請求項１記載の光ディスク装置において、
前記段差部を複数個設けたことを特徴とする光ディスク装置。
【請求項４】
請求項１乃至請求項３のいずれか１項に記載の光ディスク装置を搭載した電子機器。
【発明の詳細な説明】
【技術分野】
【０００１】
本発明は、回転する円盤状のディスクに情報を記録および再生を行う光ディスク装置に関する。
【背景技術】
【０００２】
光ディスク装置とは、データ記録媒体である円盤状のディスクを回転させた状態で、ディスク盤面にデータの記録を行うと共に、ディスク盤面に記録されたデータを再生させるデータ記憶装置である。
【０００３】
データを記録，再生させるための信号書き込みおよび読み取り手段として使用される、レーザ発光部，レーザ受光部およびディスク盤面にレーザ光を集光させる対物レンズ等を備えた電子部品（光学ヘッド）は、光ピックアップもしくは単にピックアップと称される。データ記録媒体であるディスクとしては、例えば、ＣＤ−ＲＯＭ（Compact Disc Read Only Memory），ＣＤ−Ｒ（Compact Disc Recordable），ＣＤ−ＲＷ（Compact Disc Rewritable），ＤＶＤ−ＲＯＭ（Digital Versatile Disc Read Only Memory），ＤＶＤ−Ｒ（Digital Versatile Disc Recordable），ＤＶＤ−ＲＷ（Digital Versatile Disc Rewritable），ＤＶＤ−ＲＡＭ（Digital Versatile Disc Random Access Memory），ＤＶＤ＋Ｒ（Digital Versatile Disc Recordable），ＤＶＤ＋ＲＷ（Digital Versatile Disc Rewritable），ＢＤ−ＲＯＭ（Blu-ray（登録商標）Disc Read Only Memory），ＢＤ−Ｒ（Blu-ray（登録商標）Disc Recordable），ＢＤ−ＲＥ（Blu-ray（登録商標）Disc Rewritable）等が挙げられる。そして、光ディスク装置は一般に、光ディスク装置へのアクセス制御および演算処理等を行う中央演算処理装置（ＣＰＵ：Central Processing Unit）を備えた電子機器、例えばパーソナルコンピュータ（ＰＣ：Personal Computer）などに搭載される。
【０００４】
前記電子機器がデスクトップ型ＰＣである場合は、光ディスク装置は一般にハーフハイト型光ディスク装置と称されものと、ノート型ＰＣである場合は、一般にスリム型光ディスク装置と称されるものがある。
【０００５】
光ディスク装置においては、近年特にデータ記憶容量の大容量化が要求されている。大容量化のためには、ＢＤのような大容量ディスクを用い、さらにディスク記録層を２層構造にするなど多層化させることで記憶容量を増大させる必要がある。
【０００６】
つまり、ＣＤ／ＤＶＤ，ＢＤすべてのデータ記録媒体に対応させるため、ＣＤ／ＤＶＤ用赤色レーザ光，ＢＤ用青色レーザ光の双方をディスク記録面に集光させるためには、ディスク記録面に近接して対向するよう光ピックアップに搭載される対物レンズも、ＣＤ／ＤＶＤに加えてＢＤ用のレンズが必要となる。
【０００７】
このとき、ディスクの回転に伴いディスク記録面に対する対物レンズの位置および角度を制御させるため、一般に対物レンズは金属ワイヤなどの弾性材により空中に保持される支持部材に固定される。前記支持部材には銅線が巻かれてコイルを形成しており、さらに支持部材を間に挟むように２対の永久磁石が配置される。磁界中に前記支持部材が配置されることになり、コイル状に巻かれた銅線に電流を流すことで電磁力が発生し、これにより支持部材の位置および角度が制御される。なお、対物レンズの位置および角度を制御する機構を、ここでは対物レンズ駆動機構と称す。
【０００８】
前述のように、大容量化のためにはＣＤ／ＤＶＤおよびＢＤ用の２個の対物レンズが必要となる。このため、前記支持部材の自重が増加し、自重増加した支持部材を駆動させるためにコイルに流す電流が増え、コイルからの発熱量が増大してしまう。よって、支持部材に搭載される対物レンズの温度も上昇することになり、レンズの熱変形によるレーザ光の光軸ずれが発生し、記録品質が大幅に低下するという問題が生じる。
【０００９】
低コスト化のためには、前記対物レンズの材質はガラスよりもプラスチックがより好ましく、この場合はレンズの熱変形はさらに顕著になり、レーザ光の光軸ずれによる記録品質の低下の問題はさらに顕在化する。特に、スリム型光ディスク装置の場合は、ハーフハイト型光ディスク装置よりも装置筐体の容積が小さく高密度実装であることから、対物レンズを搭載する対物レンズ駆動機構はハーフハイト型光ディスク装置よりも高温雰囲気にさらされることになる。
【先行技術文献】
【特許文献】
【００１０】
【特許文献１】特開平１１−２５６６７号公報
【発明の概要】
【発明が解決しようとする課題】
【００１１】
光ピックアップの放熱対策として、例えば特開平１１−２５６６７号公報（特許文献１）では、光ピックアップとディスクの間に介在する板状部材に形成される空気流通路により、ディスク回転により発生する空気流を光ピックアップに導くという方法が提案されている。しかしながら、上記の特許文献１で提案されている方法では、前記対物レンズ駆動機構を効果的に放熱させることはできない。
【００１２】
本発明の目的は、スリム型光ディスク装置において、光ピックアップに搭載される対物レンズ駆動機構の温度が過度に上昇し、記録品質が低下することを防止した光ディスク装置を提供することにある。
【課題を解決するための手段】
【００１３】
上記目的は、レーザ発光部からのレーザ光をディスク記録面に集光させる対物レンズと、この対物レンズを駆動させる駆動機構を備えた光ピックアップと、この光ピックアップを前記ディスクの半径方向に移動させる送り機構と、前記送り機構を搭載したメカシャシーと、前記ディスクと前記光ピックアップとの間に位置し、前記メカシャシー上に固定される板状部材の化粧板と、前記ディスクの格納および取出しを行うディスクトレイと、これらの構成部品を搭載した装置筐体とからなる光ディスク装置において、前記メカシャシーのディスク記録面外周領域と対峙する箇所に、凹形状に窪んだ段差部を設け、前記ディスクトレイの前記メカシャシーを搭載するために設けられた開口部の近傍で、かつ前記ディスク記録面外周領域と対峙する箇所に前記段差部まで繋がる傾斜部を設けたことにより達成される。
【００１４】
また上記目的は、前記段差部は、長さがディスクの回転方向に沿って徐々に短くなっていることにより達成される。
【００１５】
また上記目的は、前記段差部を複数個設けたことにより達成される。
【発明の効果】
【００１６】
本発明によれば、ディスク回転に伴い発生する空気流により対物レンズ駆動機構の放熱が促進され、対物レンズ温度の過度な上昇による記録品質の低下を抑えた光ディスク装置を提供できる。
【図面の簡単な説明】
【００１７】
【図１】第一の実施の形態を有する光ディスク装置の概略内部構成を示した斜視図である。
【図２】第一の実施の形態を有する光ディスク装置の概略内部構成を示した平面図である。
【図３】第一の実施の形態を有する光ディスク装置に搭載されるディスクトレイの斜視図である。
【図４】第一の実施の形態を有する光ディスク装置に搭載されるメカシャシーの概略平面図である。
【図５】第一の実施の形態を有する光ディスク装置に搭載されるメカシャシーに化粧板を取り付けた状態を示す概略平面図である。
【図６】第一の実施の形態を有する光ディスク装置の導風構造を示す概略断面図である。
【図７】第一の実施の形態を有する光ディスク装置の導風構造を示す概略断面図である。
【図８】第一の実施の形態を有する光ディスク装置の導風構造を示す概略断面図である。
【図９】第一の実施の形態を有する光ディスク装置の導風構造を流れる空気流の方向を示す概略説明図である。
【図１０】第一の実施の形態を有する光ディスク装置の導風構造を流れる空気流の方向を示す概略説明図である。
【図１１】第一の実施の形態を有する光ディスク装置の導風構造を流れる空気流の方向を示す概略説明図である。
【図１２】光ディスク装置に搭載される対物レンズ駆動機構の主要構成を示す概略説明図である。
【図１３】第二の実施の形態を有する光ディスク装置に搭載されるメカシャシーの概略平面図である。
【図１４】第二の実施の形態を有する光ディスク装置の導風構造を示す概略断面図である。
【図１５】第二の実施の形態を有する光ディスク装置の導風構造を流れる空気流の方向を示す概略説明図である。
【図１６】第三の実施の形態を有する光ディスク装置に搭載されるメカシャシーの概略平面図である。
【図１７】第三の実施の形態を有する光ディスク装置の導風構造を示す概略断面図である。
【発明を実施するための形態】
【００１８】
以下、本発明の一実施例を図１〜図１１にしたがって以下に説明する。
【実施例１】
【００１９】
図１は第一の実施の形態を有する光ディスク装置の概略内部構成を示した斜視図である。  
図２は第一の実施の形態を有する光ディスク装置の概略内部構成を示した平面図である。  
図３は第一の実施の形態を有する光ディスク装置に搭載されるディスクトレイの斜視図である。  
図４は主要機構部であるメカシャシーの概略平面図である。  
図５は第一の実施の形態を有する光ディスク装置に搭載されるメカシャシーに化粧板を取り付けた状態を示す概略平面図である。  
図６は第一の実施の形態を有する光ディスク装置の導風構造を示す概略断面図である。
図７は第一の実施の形態を有する光ディスク装置の導風構造を示す部分断面図である。
図８は第一の実施の形態を有する光ディスク装置の導風構造を示す部分断面図である。  図９は第一の実施の形態を有する光ディスク装置の導風構造を流れる空気流の方向を示す概略説明図である。  
図１０は第一の実施の形態を有する光ディスク装置の導風構造を流れる空気流の方向を示す概略説明図である。  
図１１は第一の実施の形態を有する光ディスク装置の導風構造を流れる空気流の方向を示す概略断面図である。
【００２０】
光ディスク装置は、装置筐体を成す底板カバー１および天板カバー（図示せず）の内部に、データ記録媒体である円盤状のディスク２を固定するためのターンテーブル１０が取り付けられている。９はターンテーブル１０を回転駆動するためのスピンドルモータである。６はターンテーブル１０によって回転するディスク２の半径方向に移動して、ディスク２へのデータの記録およびディスク２に記録されているデータの再生を行う光ピックアップである。４は光ピックアップ６をディスク２半径方向へ移動させる送り機構（図示せず）等を搭載してなる主要機構部であるメカシャシー（図５に示す）である。５はディスク２と光ピックアップ６の間に位置し、メカシャシー４の表面を覆うようにメカシャシー４に固定される板状の部材である化粧板である。３は化粧板５を備えたメカシャシー４が固定され、かつディスク２の記録面を一定のクリアランスを有して覆うディスクトレイである。さらに底板カバー１および天板カバー（図示せず）の内部にはスピンドルモータ９，光ピックアップ６等を駆動制御する制御回路基板（図示せず）等を備えている。
【００２１】
図１に示すディスクトレイ３が装置内部に設けているガイド１０２上を移動することにより、ディスク２の装置内部への格納（図２のγ１方向）および装置内部からのディスク２の取り出し（図２のγ２方向）が行われる。
【００２２】
図１および図２はディスクトレイ３が底板カバー１内に格納された状態を示している。
【００２３】
図１，図２において、ディスクトレイ３の開口部３ｊに、スピンドルモータ９，光ピックアップ６，化粧板５等を搭載してなるメカシャシー４（図５に示す）が装着されており、ディスク２をディスクトレイ３に載置する際には、ディスク２をスピンドルモータ９のターンテーブル１０上にディスクチャック１１により固定する。この際、ディスク２の中心に設けられる開孔部２ａをディスクチャック１１に嵌合させる。そして、スピンドルモータ９を回転駆動させることにより、ターンテーブル１０上に固定されるディスク２がα１方向（図２）に回転する。ディスク２の回転速度は、例えばスリム型光ディスク装置の場合、最速で５５００rpm程度に達する。なお、図２ではディスク２の外径形状を２点鎖線で示している。
【００２４】
ディスクトレイ３は、ディスク２の記録面を一定のクリアランスを有して覆う平坦部３ａおよび３ｂ、ディスク２の外径より大きくディスク２と同心円状の凸部３ｆ，３ｇおよび３ｈを有する外周平坦部３ｃ，３ｄおよび３ｅ、メカシャシー４（図５に示す）を装着するための開口部３ｊを備えている。そして前面部であるフロントベゼル１０１により構成される（図３）。ディスクトレイ３は、例えばＡＢＳ樹脂（Acrylonitrile Butadiene Styrene 共重合合成樹脂）等を母材として、金型により射出成形される。なお、図２において、化粧板５および光ピックアップ６で、ディスクトレイ３の下方に位置する箇所は点線で示している。
【００２５】
ディスク２を回転させた状態で、光ピックアップ６をディスク２の内周から外周方向（図２のβ１方向）へ送り機構（図示せず）により移動させることで、ディスク２の記録層へのデータ記録が行われる。また、ディスク２の記録層が２層構造である２層ディスク(ＤＶＤ／ＢＤ  ＤＬ:Double Layer)である場合は、光ピックアップ６をディスク２の内周から外周方向（図２のβ１方向）へ送り機構により移動させ１層目の記録が終了した後に、引き続き光ピックアップ６をディスク２の外周から内周方向（図２のβ２方向）へ送り機構により移動させて２層目の記録が行われる。
【００２６】
図５において、光ピックアップ６は案内軸である主軸１２および副軸１３により支持され、主軸１２，副軸１３それぞれの軸端部がメカシャシー４に固定されている。メカシャシー４は、例えばＳＳ４１等の一般構造用圧延鋼材の薄板に、曲げ加工，絞り加工を施すことにより成形される。
【００２７】
このとき、光ピックアップ６内に装着される半導体レーザ素子などのレーザ発光部（図示せず）から発振されたレーザ光は、光学ユニット（ミラー，プリズムなど）を通過して対物レンズ８からディスク２の記録面へ集光され、ディスク２へのデータの記録が行われる。一方、ディスク２に記録されたデータの再生時は、ディスク２からの反射光が対物レンズ８から光学ユニット（ミラー，プリズムなど）を通過して、レーザ受光部（図示せず）にて検出される。ＣＤ／ＤＶＤに加えてＢＤの記録再生に対応するため、光ピックアップ６はＣＤ／ＤＶＤ用とＢＤ用の２つの対物レンズ８を有し、光ピックアップ６に搭載される対物レンズ駆動機構７により対物レンズ８のディスク２記録面に対する位置および角度が制御され、ディスク２記録面への焦点距離が調整される。
【００２８】
図１２は対物レンズ駆動機構の主要構成斜視図である。  
図１２において、ディスク２の回転に伴いディスク２記録面に対する対物レンズ８の位置および角度を制御させるため、対物レンズ８は金属ワイヤなどの弾性材（図示せず）により空中に保持される支持部材５１に固定される。支持部材５１には銅線５２が巻かれてコイルが形成されている。さらに支持部材５１を間に挟むように２対の永久磁石５３が配置される。磁界中に支持部材５１が配置されることになり、コイル状に巻かれた銅線５２に電流を流すことで電磁力が発生し、これにより支持部材５１の位置および角度が自動で制御される。
【００２９】
対物レンズ駆動機構７は、その周囲を板状の部材１４で覆われている。そして、光ピックアップ６がディスク２の半径方向（β１およびβ２方向）に移動することにより、対物レンズ駆動機構７が図９に示した化粧板５の開口部５ａ内を移動し、ディスク２の記録面へレーザ光が集光される。前記レーザ発光部，レーザ受光部，光学ユニットおよび対物レンズ駆動機構７に加え、これら構成要素を駆動制御するための制御回路基板が、例えば、マグネシウムダイカスト，亜鉛ダイカスト，アルミダイカストなどで成形される構造体に支持され、光ピックアップ６筐体を形成する。
【００３０】
以上のごとく、第一の実施の形態においては、前記メカシャシー４のディスク２記録面外周領域と対峙する箇所に、メカシャシー４の表面より凹形状に窪んだ段差部４ａを設ける（図４，図５）と共に、前記ディスクトレイ３の平坦部３ａであってディスクトレイ３の開口部３ｊの近傍で、かつ、ディスク２記録面外周領域と対峙する箇所に、前記段差部４ａまでなだらかに繋がる傾斜部３ｉを設けた（図２，図３）。
【００３１】
図２のＡ−Ａ断面の概略断面図を図６に、図４のＢ−Ｂ断面および図５のＣ−Ｃ断面の概略断面図をそれぞれ図７，図８に示している。
【００３２】
図６〜図８に示したように、傾斜部３ｉ，段差部４ａを介して前記対物レンズ駆動機構７まで繋がる空間が新たに形成される。ここで段差部４ａは、例えばＳＳ４１等の一般構造用圧延鋼材の薄板を、曲げ加工，絞り加工を施すことにより成形される。また、傾斜部３ｉは、例えばＡＢＳ樹脂（Acrylonitrile Butadiene Styrene 共重合合成樹脂）等を母材として、金型により射出成形される。なお、図５において、化粧板５の下方に位置するメカシャシー４，主軸１２，副軸１３および光ピックアップ６の一部は点線で示している。
【００３３】
こうすることにより、ディスク２の高速回転（α１方向）により発生する空気流が、前記傾斜部３ｉおよび前記段差部４ａを通過し、光ピックアップ６の対物レンズ駆動機構７まで直接流れる。ディスク２の回転数が約５５００rpmの場合、ディスク２外周領域の空気流速値は約３０ｍ／ｓに達する。
【００３４】
図９，図１０および図１１に、ディスク２の高速回転（α１方向）により、前記傾斜部３ｉを流れる空気流の方向（ε１方向）、および前記段差部４ａを流れる空気流の方向（ε２方向）を概略示す。なお、図９において、段差部４ａを流れる空気流（ε２方向）は化粧板５の下方を流れるため、ここでは点線で表示している。発明者は、このときの空気流速値を数値流体シミュレーション（ＣＦＤ：Computational Fluid Dynamics）により見積もったところ、前記傾斜部３ｉおよび前記段差部４ａを設けることにより、対物レンズ駆動機構７の周囲の流速値が、約４倍に増大することを確認した。
【００３５】
このように、ディスク２外周領域に発生する高速空気流をスムーズに対物レンズ駆動機構７の周囲まで直接導くことができるため、対物レンズ駆動機構７から発生する熱を効果的に放熱させることが可能となる。よって、対物レンズ８の温度が過度に上昇し、記録品質が低下するという課題を解決することができる。
【００３６】
なお、ここでは光ピックアップ６に搭載されるＣＤ／ＤＶＤ用とＢＤ用の２つの対物レンズ８が、ディスク２の回転方向に並んで設置される場合を示したが、ＣＤ／ＤＶＤ用とＢＤ用の２つの対物レンズ８は、ディスク２の半径方向に並んで設置される場合であってもよい。
【実施例２】
【００３７】
図１３は、第二の実施の形態を有する光ディスク装置に搭載される主要機構部であるメカシャシー４の概略平面図である。  
図１４は、第二の実施の形態を有する光ディスク装置の導風構造を示す概略断面図である。  
図１５は、第二の実施の形態を有する光ディスク装置の導風構造を流れる空気流の方向を示す概略説明図である。なお、図１３および図１５では、ディスク２の外径形状を２点鎖線で示している。
【００３８】
第二の実施の形態は、第一の実施の形態を有する光ディスク装置において、前記メカシャシー４のディスク２記録面外周領域と対峙する箇所に、メカシャシー４の表面より凹形状に窪んだ段差部４ｂを設ける。このとき、段差部４ｂの段差部長さを、ディスク２の回転方向（α１方向）に沿って徐々に短くなっている。図１４に、図１３におけるＤ−Ｄ断面およびＥ−Ｅ断面の概略断面図を示す。Ｄ−Ｄ断面およびＥ−Ｅ断面の段差部長さはそれぞれＬ１，Ｌ２であり、Ｌ１とＬ２の関係はＬ１＞Ｌ２となる。また、段差部４ｂは、例えばＳＳ４１等の一般構造用圧延鋼材の薄板を、曲げ加工，絞り加工を施すことにより成形される。
【００３９】
こうすることにより、ディスク２の高速回転（α１方向）により発生する空気流が、前記傾斜部３ｉ（図３）および前記段差部４ｂを通過し、光ピックアップ６の対物レンズ駆動機構７まで直接流れる。図１５に、ディスク２の高速回転（α１方向）により前記段差部４ｂを流れる空気流の方向（ε３方向）を概略示す。ディスク２の回転方向（α１方向）に沿って、段差部４ｂの段差部長さを徐々に短くさせることにより、より高速の空気流を光ピックアップ６の対物レンズ駆動機構７まで流すことができる。
【００４０】
このように、ディスク２外周領域に発生する高速空気流を、スムーズに対物レンズ駆動機構７の周囲まで直接導くことができるため、対物レンズ駆動機構７から発生する熱を効果的に放熱させることが可能となる。よって、対物レンズ８の温度が過度に上昇し、記録品質が低下するという課題を解決することができる。
【００４１】
なお、前記段差部４ｂの段差部長さに関しては、図１３のＤ−Ｄ断面およびＥ−Ｅ断面の段差部長さＬ１，Ｌ２に対し、Ｌ１とＬ２の関係はＬ１＞Ｌ２のみならず、Ｌ１＜Ｌ２あるいはＬ１＝Ｌ２であってもよい。
【００４２】
また、ここでは光ピックアップ６に搭載されるＣＤ／ＤＶＤ用とＢＤ用の２つの対物レンズ８が、ディスク２の回転方向に並んで設置される場合を示したが、ＣＤ／ＤＶＤ用とＢＤ用の２つの対物レンズ８は、ディスク２の半径方向に並んで設置される場合であってもよい。
【００４３】
以上、第一および第二の実施の形態を有する光ディスク装置において、前記メカシャシー４のディスク２記録面外周領域と対峙する箇所に設けられるメカシャシー４の表面より凹形状に窪んだ段差部は、これを複数個設けてもよい。
【実施例３】
【００４４】
図１６は第三の実施形態である段差部を２個設けた場合のメカシャシー４の概略平面図である。  
図１７は第三の実施形態である導風構造の概略断面図である。  
第三の実施の形態においては、前記メカシャシー４のディスク２記録面外周領域と対峙する箇所に、メカシャシー４の表面より凹形状に窪んだ段差部４ｃを２個設けたものである。この２個の段差部４ｃはメカシャシー４を成型することによって左右並列に一体的な段差部４ｃが形成されたものであり、ほぼ左右対称となっている。
【００４５】
本実施形態によれば、第一および第二の実施の形態と同様の効果が得られる。
【００４６】
以上のごとく、第一および第二の実施形態を適用してなる光ディスク装置が搭載される電子機器としては、ノート型パーソナルコンピュータ（ＰＣ）だけではなく、ハードディスク（ＨＤＤ）レコーダー，ＤＶＤレコーダー，カーナビゲーションシステムなどの車載用コンピュータあるいは光ディスクを搭載するカメラおよびゲーム機等であってもよい。
【符号の説明】
【００４７】
１  底板カバー（装置筐体）
２  ディスク
３  ディスクトレイ
３ｉ  傾斜部
４  メカシャシー
４ａ，４ｂ，４ｃ  段差部
５  化粧板
６  光ピックアップ
７  対物レンズ駆動機構
８  対物レンズ
９  スピンドルモータ
１０  ターンテーブル
１１  ディスクチャック
１２  主軸
１３  副軸
１４  板状の部材
５１  支持部材
５２  銅線（コイル）
５３  永久磁石
１０１  フロントベゼル
１０２  ガイド
α１  ディスク回転方向
β１，β２  光ピックアップの移動方向
γ１，γ２  ディスクトレイの移動方向
【図１】
2011054217.tif 000003
【図２】
2011054217.tif 000004
【図３】
2011054217.tif 000005
【図４】
2011054217.tif 000006
【図５】
2011054217.tif 000007
【図６】
2011054217.tif 000008
【図７】
2011054217.tif 000009
【図８】
2011054217.tif 000010
【図９】
2011054217.tif 000011
【図１０】
2011054217.tif 000012
【図１１】
2011054217.tif 000013
【図１２】
2011054217.tif 000014
【図１３】
2011054217.tif 000015
【図１４】
2011054217.tif 000016
【図１５】
2011054217.tif 000017
【図１６】
2011054217.tif 000018
【図１７】
2011054217.tif 000019